(57)【特許請求の範囲】
【請求項１】
周囲の雰囲気とは隔離した雰囲気中で電子部品が搭載されたプリント配線板を処理するための雰囲気保持体を設け、該雰囲気保持体に前記プリント配線板の搬入口としての開口と搬出口としての開口、あるいはそれらを兼用する搬入出口としての開口を設けた雰囲気処理装置において、
前記各開口を塞ぐ開閉板を該開口の上方側位置をその揺動軸として揺動可能に吊り下げて設け、
前記各開口を介して前記プリント配線板を支持して前記雰囲気保持体内へ搬送又は前記雰囲気保持体から搬出するための搬送コンベアを設け、
前記搬送コンベアに設けられた前記プリント配線板の支持位置よりも該プリント配線板の内側の位置であって該プリント配線板の搬送方向から見て電子部品が搭載されていない領域に搬送に際して摺接する板状の凸状体が前記開閉板に前記揺動軸に略直交する方向に設けられ、この凸状体の形状は前記開閉板の板面を底面として高さ方向へ弧状に飛び出す形状であり、
さらに前記凸状体は、該凸状体の前記開閉板の板面からの高さが、前記プリント配線板が前記開口を通過する際に前記プリント配線板に搭載された電子部品に前記揺動する開閉板の下端が当接しない高さであることを特徴とする雰囲気処理装置。
【請求項２】
周囲の雰囲気とは隔離した雰囲気中で電子部品が搭載されたプリント配線板を処理するための雰囲気保持体を設け、該雰囲気保持体に前記プリント配線板の搬入口としての開口と搬出口としての開口、あるいはそれらを兼用する搬入出口としての開口を設けた雰囲気処理装置において、
前記各開口を塞ぐ開閉板を該開口の上方側位置をその揺動軸として揺動可能に吊り下げて設け、
前記プリント配線板を保持するキャリアを設け、
前記各開口を介して前記キャリアを支持して前記雰囲気保持体内へ搬送又は前記雰囲気保持体から搬出するための搬送コンベアを設け、
前記搬送コンベアによる前記キャリアの搬送に際して前記キャリアに摺接する板状の凸状体を前記開閉板に設けたものであり、
前記板状の凸状体は前記開閉板に前記揺動軸に略直交する方向に設けられ、この凸状体の形状は前記開閉板の板面を底面として高さ方向へ弧状に飛び出す形状であり、
さらに前記凸状体は、該凸状体の前記開閉板の板面からの高さが、前記キャリアが前記開口を通過する際に前記プリント配線板に搭載された電子部品に前記揺動する開閉板の下端が当接しない高さであることを特徴とする雰囲気処理装置。
【請求項３】
前記開口の下方側に上方へ向けて植毛体を設け、
前記植毛体は、該植毛体の毛先が前記開閉板の下端に当接あるいは近接することを特徴とする請求項１ 又は２ 記載の雰囲気処理装置。
【請求項４】
前記開閉板の吊り下げ長さを、前記開口を塞ぐ長さに構成し、
前記開閉板が揺動する際に前記開閉板に設けられた凸状体が通過するスリットを前記開口の下方側に設けたことを特徴とする請求項１ 又は２ 記載の雰囲気処理装置。
【請求項５】
周囲の雰囲気とは隔離した雰囲気中で電子部品が搭載されたプリント配線板を処理するための雰囲気保持体を設け、該雰囲気保持体に前記プリント配線板の搬入口としての開口と搬出口としての開口、あるいはそれらを兼用する搬入出口としての開口を設けた雰囲気処理装置において、
前記各開口を塞ぐ開閉板を該開口の上方側位置をその揺動軸として揺動可能に吊り下げて設け、
前記プリント配線板を保持するキャリアを設け、
前記各開口を介して前記キャリアを支持して前記雰囲気保持体内へ搬送又は前記雰囲気保持体から搬出するための搬送コンベアを設け、
前記搬送コンベアによる前記キャリアの搬送に際して前記開閉板に摺接する板状の凸状体を前記キャリアに設けたものであり、
前記板状の凸状体は前記キャリアの両側部に平行に設けられ、この凸状体の形状は前記キャリアの前記凸状体の設置面を底面として高さ方向へ弧状に飛び出す形状であり、
さらに前記凸状体は、該凸状体の前記キャリアにおける設置面からの高さが、前記キャリアが前記開口を通過する際に前記プリント配線板に搭載された電子部品に前記揺動する開閉板の下端が当接しない高さであることを特徴とする雰囲気処理装置。
【発明の詳細な説明】
【技術分野】
【０００１】
本発明は、その表面に電子部品が搭載されて立体形状を有するプリント配線板を、隔離された雰囲気中で処理するプリント配線板の雰囲気処理装置に関する。具体的には、プリント配線板に薬液を塗布するフラックス塗布装置や溶融はんだを供給することではんだ付けを行うフローはんだ付け装置、さらには予め供給されたはんだを加熱して溶融させることではんだ付けを行うリフローはんだ付け装置、加熱されたプリント配線板を冷却する急冷装置、等々に関する。
【背景技術】
【０００２】
電子回路が形成されるプリント配線板は多数の電子部品がはんだ付け実装されて構成される。このはんだ付け実装には、薬液（例えば、フラックス）を使用したり高い温度に加熱したり等々の処理が行われるために、周囲の雰囲気から隔離して処理が行われる。
【０００３】
例えば、特許文献１には、プリント配線板に霧状にしたフラックスを塗布する技術が開示されている。また、特許文献２には、非酸化性の不活性ガス（例えば窒素ガス）雰囲気中ではんだ付けを行う技術が開示されている。さらに、特許文献３には、封止性の高いチャンバ内でフローはんだ付けやリフローはんだ付けが行われる際の冷却技術ついて開示されている。
【０００４】
これらの装置では、装置内の雰囲気とその周囲の雰囲気とを隔離するための技術が用いられている。
【０００５】
例えば、特許文献１では装置外へのフラックスの流出を抑制するために補助フードを設けたり、特許文献２や特許文献３ではチャンバ内での雰囲気流動を抑止したりチャンバ内への大気の流入またチャンバ内からの雰囲気の流出を抑止するためにラビリンスシールを設けたりしている。この他にも、アクチュエータによりシャッタの開閉動作を行わせて、搬入口や搬出口の開口をプリント配線板の搬入および搬出に合わせて自動開閉し、これによりチャンバ内の雰囲気を隔離する周知の技術がある。
【特許文献１】特開平７−２０２３９７号公報
【特許文献２】特開平６−１９８４８６号公報
【特許文献３】特開平７−２０２４０５号公報
【発明の開示】
【発明が解決しようとする課題】
【０００６】
しかしながら、上記特許文献１の技術では、漏れ出しては困る雰囲気を補助フードで排出するもので、この技術そのものでは装置の内外の雰囲気を隔離する封止性そのものを向上させることはできない。
【０００７】
また、上記特許文献２や特許文献３の技術では、封止性を向上させるためのラビリンスシール部が必要となり、その分だけ装置の長さすなわちプリント配線板の搬送方向における装置の長さが長くなり、装置が大型化してしまう。また、プリント配線板に搭載されている電子部品のプリント配線板上における高さが高くなる程ラビリンスシールを構成する板状部材のプリント配線板の方向への長さを短くする必要があり、すなわちラビリンスシールの開口部分を広くする必要が生じ、その封止性が低下してしまう。
【０００８】
周知の自動開閉シャッタの技術では、シャッタの開閉とその制御を行うアクチュエータやセンサ、制御装置、等が別途に必要となる等して装置が複雑化してしまう。
【０００９】
本発明は、上記の問題点を解決するためになされたもので、本発明の目的は、アクチュエータやセンサ、制御装置、等が不要な簡単な構成で、プリント配線板の搬入や搬出に合わせて搬入口や搬出口等の開口を自動開閉し、しかもプリント配線板に搭載されている高さの高い電子部品に開閉手段が当接することもない雰囲気保持装置を実現することによって、雰囲気ガスの単位時間当たりの消費量を低減したり、不必要な雰囲気の拡散を防止して作業環境を良好にしたり、熱エネルギーの拡散を防止する等して、ランニングコストが低く清潔で安全な作業環境を実現することにある。
【課題を解決するための手段】
【００１０】
本発明は、周囲の雰囲気とは隔離した雰囲気中で電子部品（図１に示す１１８）が搭載されたプリント配線板（図１に示す１０１）を処理するための雰囲気保持体（図１に示す１００）を設け、該雰囲気保持体に前記プリント配線板の搬入口としての開口（図１に示す１０２）と搬出口としての開口（図１に示す１０３）、あるいはそれらを兼用する搬入出口としての開口（図６に示す６０１）を設けた雰囲気処理装置において、前記各開口を塞ぐ開閉板（図１に示す１０７，１０８）を該開口の上方側位置をその揺動軸として揺動可能に吊り下げて設け、前記各開口を介して前記プリント配線板を支持して前記雰囲気保持体内へ搬送又は前記雰囲気保持体から搬出するための搬送コンベア（図１に示す１０４，１０５，１０６，図６に示す６０４）を設け、前記搬送コンベアに設けられた前記プリント配線板の支持位置よりも該プリント配線板の内側の位置であって該プリント配線板の搬送方向から見て電子部品が搭載されていない領域に搬送に際して摺接する板状の凸状体（図１に示す１１４，１１５）が前記開閉板に前記揺動軸に略直交する方向に設けられ、この凸状体の形状は前記開閉板の板面を底面として高さ方向へ弧状に飛び出す形状であり、さらに前記凸状体は、該凸状体の前記開閉板の板面からの高さが、前記プリント配線板が前記開口を通過する際に前記プリント配線板に搭載された電子部品に前記揺動する開閉板の下端が当接しない高さであることを特徴とする。
【００１１】
また、本発明は、周囲の雰囲気とは隔離した雰囲気中で電子部品（図４に示す１１８）が搭載されたプリント配線板（図４に示す１０１）を処理するための雰囲気保持体を設け、該雰囲気保持体に前記プリント配線板の搬入口としての開口（図４に示す１０２）と搬出口としての開口（図４に示す１０３）、あるいはそれらを兼用する搬入出口としての開口（図６に示す６０１）を設けた雰囲気処理装置において、前記各開口を塞ぐ開閉板（図４に示す１０７，１０８）を該開口の上方側位置をその揺動軸として揺動可能に吊り下げて設け、前記プリント配線板を保持するキャリア（図４に示す４００）を設け、前記各開口を介して前記キャリアを支持して前記雰囲気保持体内へ搬送又は前記雰囲気保持体から搬出するための搬送コンベア（図４に示す１０４，１０５，１０６，図６に示す６０４）を設け、前記搬送コンベアによる前記キャリアの搬送に際して前記キャリアに摺接する板状の凸状体（図４に示す１１４，１１５）を前記開閉板に設けたものであり、前記板状の凸状体は前記開閉板に前記揺動軸に略直交する方向に設けられ、この凸状体の形状は前記開閉板の板面を底面として高さ方向へ弧状に飛び出す形状であり、さらに前記凸状体は、該凸状体の前記開閉板の板面からの高さが、前記キャリアが前記開口を通過する際に前記プリント配線板に搭載された電子部品に前記揺動する開閉板の下端が当接しない高さであることを特徴とする。
【００１２】
さらに、本発明は、前記開口の下方側に上方へ向けて植毛体（図２に示す２０１，２０２）を設け、前記植毛体は、該植毛体の毛先が前記開閉板の下端に当接あるいは近接することを特徴とする。
【００１３】
また、本発明は、前記開閉板の吊り下げ長さを、前記開口を塞ぐ長さに構成し、前記開閉板が揺動する際に、前記開閉板に設けられた凸状体が通過するスリット（図３に示す３０１，３０２）を前記開口の下方側に設けたことを特徴とする。
【００１４】
さらに、本発明は、周囲の雰囲気とは隔離した雰囲気中で電子部品（図５に示す１１８）が搭載されたプリント配線板（図５に示す１０１）を処理するための雰囲気保持体（図５に示す１００）を設け、該雰囲気保持体に前記プリント配線板の搬入口としての開口（図５に示す１０２）と搬出口としての開口（図５に示す１０３）、あるいはそれらを兼用する搬入出口としての開口（図６に示す６０１）を設けた雰囲気処理装置において、前記各開口を塞ぐ開閉板（図５に示す１０７，１０８）を該開口の上方側位置をその揺動軸として揺動可能に吊り下げて設け、前記プリント配線板を保持するキャリア（図５に示す４００）を設け、前記各開口を介して前記キャリアを支持して前記雰囲気保持体内へ搬送又は前記雰囲気保持体から搬出するための搬送コンベア（図５に示す１０４，１０５，１０６，図６に示す６０４）を設け、前記搬送コンベアによる前記キャリアの搬送に際して前記開閉板に摺接する板状の凸状体（図５に示す５０１）を前記キャリアに設けたものであり、前記板状の凸状体は前記キャリアの両側部に平行に設けられ、この凸状体の形状は前記キャリアの前記凸状体の設置面を底面として高さ方向へ弧状に飛び出す形状であり、さらに前記凸状体は、該凸状体の前記キャリアにおける設置面からの高さが、前記キャリアが前記開口を通過する際に前記プリント配線板に搭載された電子部品に前記揺動する開閉板の下端が当接しない高さであることを特徴とする。
【発明の効果】
【００１５】
本発明のプリント配線板の雰囲気処理装置によれば、アクチュエータやセンサ、制御装置、等が不要な簡単な構成で、プリント配線板の搬入や搬出に合わせて搬入口や搬出口等の開口を自動開閉し、しかもプリント配線板に搭載されている高さの高い電子部品に開閉手段が当接することもない雰囲気保持性の高い雰囲気処理装置を実現することができる。
【００１６】
その結果、低コストでランニングコストも必要とせずに、雰囲気ガスの単位時間当たりの消費量を低減したり熱エネルギーの拡散を防止し、また、不必要な雰囲気の拡散を防止して作業環境を清潔に保つことができる等の効果を奏する。
【発明を実施するための最良の形態】
【００１７】
本発明のプリント配線板の雰囲気処理装置は、以下に示すような形態において実現することができる。
【００１８】
〔第１実施形態〕
図１は、本発明の第１実施形態を示すプリント配線板の雰囲気処理装置の構成を説明する図である。特に図１Ａはプリント配線板の搬送方向に対する縦断面を示す図に対応する。また、図１Ｂは搬入口（搬出口）を搬入（搬出）方向手前から見た斜視図に対応する。さらに、図１Ｃは搬入口（搬出口）を搬入（搬出）方向後ろ側から見た斜視図に対応する。なお、図１Ａ，図１Ｂ，図１Ｃにおいて、同一のものには同一の符号を付してある。
【００１９】
また、図１Ａ，図１Ｂ，図１Ｃにおいて、搬送コンベアについては略図を用いている。
【００２０】
具体的には、プリント配線板の両側端部を保持（支持）する平行２条の走行体によって搬送される。すなわち、いわゆるチェーンコンベア（チェーンからピンが突出して列を構成し、このピン列にプリント配線板の側端部を載置し支持するコンベア）やチェーンコンベアにプリント配線板の保持爪や押圧挟持手段を設けて、プリント配線板の側端部を支持したり保持して搬送する構成である。そして、図１に示す支持体１１７が、これらのピンや保持爪、押圧挟持手段に相当する。なお、実開平６−５５２９０号公報や特開平１−１３３６６８号公報に開示される技術が参考になる。
【００２１】
図１において、１００は雰囲気保持体であり、周囲の雰囲気とは異なる雰囲気を形成し保持する。この雰囲気保持体１００には、プリント配線板１０１の搬入口１０２と搬出口１０３とを設けてあり、この搬入口１０２から搬出口１０３にかけてプリント配線板１０１を搬送するための搬送コンベア１０５を設けてある。また、搬入口１０２にプリント配線板１０１を搬入する搬入コンベア１０４と搬出口１０３からプリント配線板１０１を搬出する搬出コンベア１０６を設けてある。なお、矢印Ａは搬送方向を示す。
【００２２】
なお、雰囲気保持体１００内には、噴霧式フラックス塗布装置の場合は霧状フラックス発生装置（不図示）等が備えられ、フローはんだ付け装置では予備加熱装置や溶融はんだの噴流装置や冷却装置（不図示）等が備えられ、さらにリフローはんだ付け装置では各種の加熱装置や冷却装置（不図示）等が備えられている。また、雰囲気保持体内に低酸素濃度の不活性ガス雰囲気を形成するはんだ付け装置にあっては、さらに窒素ガスの供給装置（不図示）を備えている。
【００２３】
そして、搬入口１０２（搬出口１０３）には、開閉板１０７（１０８）がヒンジ１０９（１１０）により揺動自在に吊り下げてあり、付勢ばね１１２（１１３）により搬入口１０２（搬出口１０３）を閉じる方向Ｂに付勢されている。
【００２４】
また、この開閉板１０７（１０８）には凸状体すなわち弧状体１１４（１１５）を設けてあり、搬入コンベア１０４（搬送コンベア１０５）により搬入，搬出されるプリント配線板１０１の両側端部すなわち電子部品が搭載されていない保持部（いわゆる捨て板部分）１１６に摺接する位置に設けてある。
【００２５】
このように、本実施形態は、プリント配線板１０１の電子部品１１８が搭載されていない領域（保持部１１６）に、弧状体１１４（１１５）を摺接して開閉板１０７（１０８）を開閉するように構成している。
【００２６】
なお、弧状体１１４（１１５）は、該弧状体１１４（１１５）の開閉板１０７（１０８）の板面からの高さが、プリント配線板１０１が搬入口１０２（搬出口１０３）を通過する際に、プリント配線板１０１に搭載された電子部品１１８に、前記揺動する開閉板１０７（１０８）の下端が当接しない高さとなるように選定されたもので構成する。
【００２７】
また、開閉板１０７（１０８）を鉄等の部材により構成し、弧状体１１４（１１５）の取り付け面側に磁石等を設けておけば、この弧状体の開閉板１０７（１０８）における取り付け位置を容易に変更できるので、プリント配線板１０１の種類が変わったりした場合においても、その取り付け間隔を容易に変更できる。
【００２８】
また、開閉板１０７（１０８）に横方向に長孔を設けてこの長孔を介して弧状体１１４（１１５）をねじ固定するように構成すれば、長孔に沿って弧状体１１４（１１５）の取り付け位置を変更することができる。また、プリント配線板１０１の両側端部（保持部１１６）以外の領域において電子部品が搭載されていない領域（この領域は、搬送方向Ａに沿って直線状に形成された領域）があれば、その領域に弧状体が摺接するように弧状体１１４（１１５）の取り付け位置を決めても良い。
【００２９】
また、プリント配線板１０１に搭載された電子部品１１８の高さに応じて、高さの異なる弧状体１１４（１１５）に変更することも可能である。
【００３０】
このように構成された雰囲気保持体１００にプリント配線板１０１が搬入口１０２から搬入されると（搬出口１０３から搬出されると）、このプリント配線板１０１の両側端部（保持部１１６）が弧状体１１４を押し上げることで開閉板１０７が開き、弧状体１１４はプリント配線板１０１に摺接しつつも電子部品に当接することがない状態でプリント配線板１０１が雰囲気保持体１００内へ搬入される（雰囲気保持体１００から搬出される）。
【００３１】
また、ヒンジ１０９から見た開閉板１０７の長さも弧状体１１４の長さよりも短くしてあり、プリント配線板１０１に搭載された最も高さの高い電子部品に開閉板の下端部が当接しないように構成してある。
【００３２】
そして、プリント配線板１０１が雰囲気保持体１００内へ完全に搬入されると（雰囲気保持体１００から外に完全に搬出されると）、弧状体１１４のプリント配線板１０１への摺接が解除され、開閉板１０７が付勢ばね１１２の付勢力により閉じて搬入口１０２（搬出口１０３）が閉じる。
【００３３】
以上示したように、本実施形態のプリント配線板の雰囲気処理装置によれば、アクチュエータやセンサ、制御装置、等が不要な簡単な構成で、プリント配線板の搬入や搬出に合わせて搬入口や搬出口等の開口を自動開閉し、しかもプリント配線板に搭載されている高さの高い電子部品に開閉手段が当接することもない、雰囲気保持製の高い雰囲気処理装置を実現することができる。
【００３４】
その結果、低コストでランニングコストも必要とせずに、雰囲気ガスの単位時間当たりの消費量を低減したり熱エネルギーの拡散を防止し、また、不必要な雰囲気の拡散を防止して作業環境を清潔に保つことができる。
【００３５】
〔第２実施形態〕
図２は、本発明の第２実施形態を示すプリント配線板の雰囲気処理装置の構成を説明する図である。なお、図１と同等に図２Ａはプリント配線板の搬送方向に対する縦断面を示す図に対応する。また、図２Ｂは搬入口（搬出口）を搬入（搬出）方向手前から見た斜視図に対応する。さらに、図２Ｃは搬入口（搬出口）を搬入（搬出）方向後ろ側から見た斜視図に対応する。なお、図１と同一のものには同一の符号を付してある。
【００３６】
本実施形態と上記第１実施形態との相違点は、図２Ｂ，図２Ｃに示すように、搬入口１０２（搬出口１０３）の下方側に上方へ向けて柔らかい植毛体２０１（２０２）を設けてあり、この植毛体２０１（２０２）の毛先が開閉板１０７（１０８）の下端に当接あるいは近接するように設けた構成である。
【００３７】
この構成により、弧状体１１４（１１５）ひいては開閉板１０７（１０８）の揺動に差し支えることがないようにしつつ、搬入口１０２（搬出口１０３）の下方領域において生じる僅かな隙間を塞ぐことができるようになる。なお、植毛体２０１（２０２）に代えて細い（弧状体の厚さと同等以下の幅）短冊状のフィルム体を使用するように構成してもよい。
【００３８】
以上示したように、より雰囲気保持性の高い雰囲気処理装置を実現し、不必要な雰囲気の拡散をより確実に抑えることができる。
【００３９】
〔第３実施形態〕
図３は、本発明の第３実施形態を示すプリント配線板の雰囲気処理装置の構成を説明する図である。なお、図１と同等に図３Ａはプリント配線板の搬送方向に対する縦断面を示す図に対応する。また、図３Ｂは搬入口（搬出口）を搬入（搬出）方向手前から見た斜視図に対応する。さらに、図３Ｃは搬入口（搬出口）を搬入（搬出）方向後ろ側から見た斜視図に対応する。なお、図１と同一のものには同一の符号を付してある。
【００４０】
本実施形態と上記第１実施形態との相違するのは、図３Ｂ，図３Ｃに示すように、開閉板１０７（１０８）の吊り下げ長さを、搬入口１０２（搬出口１０３）の開口を塞ぐ長さに構成し、この開閉板１０７（１０８）に設ける弧状体１１４（１１５）が揺動する際に通過するスリット部３０１（３０２）を雰囲気保持体１００に設けている点である。
【００４１】
これにより、上記第２実施形態において、図２に示したような植毛体２０１（２０２）を設けることなく、開閉板１０７（１０８）により搬入口１０２（搬出口１０３）を塞ぐことができるようになる。
【００４２】
なお、プリント配線板１０１の種類が変わって弧状体１１４（１１５）を設ける位置を変更する際には、スリット部３０１（３０２）を設ける位置も変更しなければならない。
【００４３】
一般的に、平行２条に構成される搬送コンベア１０４（搬送コンベア１０５）は一方のコンベア条を固定し他方のコンベア条を幅方向（矢印Ａ方向と直交する方向（図３Ｄに示す矢印Ｄ方向））に移動するように構成されている。この構成を図３Ｄに示す。
【００４４】
そのため、図３Ｄの３０３（３０４）に示すように、上記コンベア条が移動する側のスリット部のスリット幅を大きくする。そして、該スリット部３０３（３０４）に、スリット部３０５（３０６）を備えた目隠し用の板状部材３０７（３０８）を搬入口１０２（搬出口１０３）を形成する雰囲気保持体１００の開口に張りつけて、搬入口１０２（搬出口１０３）をスリット形成する。
【００４５】
そして、この板状部材３０７（３０８）を、プリント配線板１０１の幅方向（矢印Ｄ方向）に移動することで、スリット部３０５（３０６）の位置を移動できるように構成すれば良い。
【００４６】
なお、雰囲気保持体１００を鉄等の部材により構成し、板状部材３０７（３０８）の取り付け面側に磁石等を設けておけば、この板状部材３０７（３０８）の雰囲気保持体１００における取り付け位置を容易に変更できる。
【００４７】
また、板状部材３０７（３０８）は、雰囲気保持体１００に横方向に長孔を設けてこの長孔を介して板状部材３０７（３０８）をねじ固定するように構成すれば、長孔に沿って弧状体１１４（１１５）の取り付け位置を変更することができる。
【００４８】
さらに、プリント配線板１０１の種類に合わせた板状部材３０７（３０８）を用意しておいて、この板状部材３０７（３０８）を交換するように構成しても良い。
【００４９】
以上示したように、より雰囲気保持性の高い雰囲気処理装置を実現し、不必要な雰囲気の拡散をより確実に抑えることができる。
【００５０】
〔第４実施形態〕
上記第１〜３本実施形態では、プリント配線板１０１の電子部品１１８が搭載されていない領域（保持部１１６）に、弧状体１１４（１１５）を摺接して開閉板１０７（１０８）を開閉する構成について説明したが、以下、プリント配線板の搬送にキャリアを使用した例について説明する。
【００５１】
図４は、本発明の第４実施形態を示すプリント配線板の雰囲気処理装置の構成を説明する図である。なお、図４Ａはプリント配線板の搬送方向に対する縦断面を示す図に対応する。また、図４Ｂは搬入口においてキャリアに保持されたプリント配線板が搬入される様子を示す斜視図に対応する。なお、図１と同一のものには同一の符号を付してある。
【００５２】
図４Ｂに示すように、プリント配線板１０１をキャリア４００に保持しておいてこのキャリア４００を搬入コンベア１０４，搬送コンベア１０５，搬出コンベア１０６で搬送することでプリント配線板１０１を搬送することが行われている。
【００５３】
これにより、プリント配線板１０１の種類が変わっても搬入コンベア１０４，搬送コンベア１０５，搬出コンベア１０６の幅を可変する必要がなく、各種のプリント配線板１０１を連続して処理する混流処理が可能になるからである。
【００５４】
キャリア４００は、金属や樹脂等の丈夫な部材により構成され、その枠の内側に移動しない固定保持体４０１と圧縮ばね４０４により付勢された可動保持体４０２とを有し、矢印Ｃ方向の付勢力によりプリント配線板１０１を保持する仕組みである。
【００５５】
なお、キャリア４００には各種の種類があるが、通常このような枠状のフレームを有している。そして、その両側部に搬送用の被保持部４０３が設けられ、この被保持部４０３を搬入コンベア１０４（搬送コンベア１０５，搬出コンベア１０６）で保持して矢印Ａ方向に搬送する。
【００５６】
したがって、開閉板１０７（１０８）に設ける弧状体１１４（１１５）の位置をキャリア４００の両側部の位置に合わせておくことにより、プリント配線板１０１の搬入（搬出）に合わせて弧状体がキャリアにより押し上げられて開閉板１０７（１０８）が開き、プリント配線板１０１が雰囲気保持体１００内へ搬入される（雰囲気保持体１００から搬出される）。搬入（搬出）が完了すれば弧状体１１４（１１５）の摺接が解除され、開閉板１０７（１０８）が矢印Ｂ方向に揺動下降して搬入口１０２（搬出口）を塞ぐことができる。
【００５７】
この場合においても、キャリア４００に保持された電子部品のプリント配線板１０１上における高さが高くてキャリア４００の枠体よりも上方に飛び出す場合もある。しかし、プリント配線板１０１の搬送方向Ａから見てその前端と後退よりもキャリア４００の枠体が長くそして大きく構成されているので、弧状体１１４（１１５）の開閉板１０７（１０８）上における高さを適切な高さに選定したもので構成する。このように構成することにより、図４（ａ）のように開閉板１０７（１０８）により搬入口１０２（搬出口１０３）を塞ぐ長さとしても、プリント配線板１０１の搬入（搬出）に際してこの開閉板１０７（１０８）の下端がプリント配線板１０１に搭載されている電子部品１１８に当接することがないものとなる。
【００５８】
以上示したように、雰囲気保持性の高い雰囲気処理装置を実現し、不必要な雰囲気の拡散を抑えることができる。
【００５９】
なお、本実施形態と上記第２実施形態又は第３実施形態を合わせた構成でもよい。
【００６０】
〔第５実施形態〕
図５は、本発明の第５実施形態を示すプリント配線板の雰囲気処理装置の構成を説明する図である。なお、図４と同等に図５Ａはプリント配線板の搬送方向に対する縦断面を示す図に対応する。また、図５Ｂは搬入口においてキャリアに保持されたプリント配線板が搬入される様子を示す斜視図に対応する。なお、図１と同一のものには同一の符号を付してある。
【００６１】
本実施形態は、図４で示した上記第４実施形態において開閉板１０７（１０８）に設けられた弧状体を、キャリア４００の枠体の両側部に設けたものであり、その作動も図４と同様に行われる。
【００６２】
また、図１〜図３で示した上記第１〜３実施形態では、プリント配線板１０１に弧状体を設けることができないが、本実施形態のように、キャリア４００を使用する場合には、図５Ｂに示すように、このキャリア４００に弧状体５０１を設ける。この弧状体５０１は、該弧状体５０１のキャリア４００からの高さが、該キャリア４００が搬入口１０２（排出口１０３）を通過する際に、プリント配線板１０１に搭載された電子部品１１８に前記揺動する開閉板１０７（１０８）の下端が当接しない高さとなるように選定されたもので構成する。これにより、プリント配線板１０１の搬入（搬出）に際してプリント配線板１０１に搭載された電子部品１１８に開閉板１０７（１０８）が当接しないように開閉させることができる。
【００６３】
以上示したように、雰囲気保持性の高い雰囲気処理装置を実現し、不必要な雰囲気の拡散を抑えることができる。
【００６４】
〔第６実施形態〕
上記第１〜５本実施形態では、プリント配線板を搬入する搬入口と、プリント配線板１０１を搬出する搬出口とをそれぞれ設けた構成について説明したが、以下、プリント配線板を搬入及び搬出する搬入出口を１つ設ける構成について説明する。
【００６５】
図６は、本発明の第６実施形態を示すプリント配線板の雰囲気処理装置の構成を説明する図であり、プリント配線板の搬送方向に対する縦断面を示す図に対応する。
【００６６】
本実施形態の雰囲気処理装置には、雰囲気保持体１００に開口が１つしかなく、この開口（搬入出口６０１）を搬入口と搬出口とに兼用している場合の例である。
【００６７】
このような場合には、図６に示すように、図１〜図４で示した上記第１〜４実施形態で説明した開閉板６０２を、雰囲気保持体の内側にも外側にも揺動するようにヒンジ６０３により吊り下げて設け、弧状体１１４，１１５も開閉板６０２の両面すなわち雰囲気保持体１００の内側と外側との両方に設けるように構成すれば良い。
【００６８】
これにより、プリント配線板１００が搬入出コンベア６０４により搬入される際にも搬出される際にも、弧状体１１４，１１５により開閉板６０２が押し上げられて、搬入出口６０１が開き、搬入や搬出が完了すれば搬入出口６０１が閉じるようになる。
【００６９】
なお、本実施形態と上記第２〜４実施形態のいずれかを合わせた構成でもよい。
【００７０】
また、弧状体１１４（１１５）は、該弧状体１１４（１１５）の開閉板６０２の板面からの高さが、プリント配線板１０１が搬入出口６０１を通過する際に、プリント配線板１０１に搭載された電子部品１１８に、前記揺動する開閉板６０２の下端が当接しない高さとなるように選定されたもので構成する。
【００７１】
さらに、上記第５実施形態のように、キャリア４００に弧状体を設ける場合には、雰囲気保持体１００の内側にも外側にも揺動するようにヒンジ６０３により開閉板６０２を吊り下げておくだけで良い。すなわち、キャリア４００に設けた弧状体により開閉板６０２が押し上げられて開き、搬入や搬出が完了すれば下方方向を向いて搬出入口を塞ぐことができる。
【００７２】
なお、キャリア４００に設けられた弧状体は、該弧状体のキャリア４００からの高さが、該キャリア４００が搬入出口６０１を通過する際に、プリント配線板１０１に搭載された電子部品１１８に前記揺動する開閉板６０２の下端が当接しない高さとなるように選定されたもので構成する。
【００７３】
以上示したように、雰囲気保持性の高い雰囲気処理装置を実現し、不必要な雰囲気の拡散を抑えることができる。
【００７４】
なお、周囲の雰囲気とは隔離した雰囲気中でプリント配線板を処理する装置以外にも、周囲の雰囲気とは隔離した雰囲気中で板状部材に立体形状部材が搭載された形状の非処理部材を処理するための雰囲気保持体を有し、該雰囲気保持体に前記プリント配線板の搬入口としての開口と搬出口としての開口、あるいはそれらを兼用する搬入出口としての開口を設けた処理装置であれば、どのような装置にも、本発明は適用可能である。
【００７５】
また、本発明は上記実施形態に限定されるものではなく、本発明の趣旨に基づき種々の変形（各実施形態の有機的な組合せを含む）が可能であり、それらを本発明の範囲から排除するものではない。
【００７６】
本発明の様々な例と実施形態を示して説明したが、当業者であれば、本発明の趣旨と範囲は、本明細書内の特定の説明に限定されるのではない。
【００７７】
以上示したように、アクチュエータやセンサ、制御装置、等が不要な簡単な構成で、プリント配線板の搬入や搬出に合わせて搬入口や搬出口等の開口を自動開閉し、しかもプリント配線板に搭載されている高さの高い電子部品に開閉手段が当接することもない雰囲気保持装置を実現することによって、雰囲気ガスの単位時間当たりの消費量を低減したり、不必要な雰囲気の拡散を防止して作業環境を良好にしたり、熱エネルギーの拡散を防止する等して、ランニングコストが低く清潔で安全な作業環境を実現する雰囲気処理装置を提供することができる。
【００７８】
以上示したように、本発明は、プリント配線板に電子部品が搭載されていない領域やプリント配線板を搬送する際の被保持用に設けられたいわゆる捨て基板の領域を利用して、プリント配線板に搭載された電子部品に開閉手段が当接しないようにして搬入口や搬出口等の開口を開閉させることを特徴とする。
【００７９】
すなわち、周囲の雰囲気とは隔離した雰囲気中で電子部品が搭載されたプリント配線板を処理するための雰囲気保持体に、前記プリント配線板の搬入口としての開口と搬出口としての開口、あるいはそれらを兼用する搬入出口としての開口を設けると供に、これらの開口を塞ぐ開閉板を該開口の上方側位置をその揺動軸として揺動可能に吊り下げて設ける。また、プリント配線板を前記雰囲気保持体内へ搬送するための搬送コンベアが設けられる。そして、前記搬送コンベアに設けられたプリント配線板の支持体の位置よりもプリント配線板の内側の位置であって、このプリント配線板の搬送方向から見て電子部品が搭載されていな領域に搬送に際して摺接する凸状体を前記開閉板に設けると供に、この凸状体の前記開閉板の板面からの高さが前記プリント配線板が前記開口を通過する際に前記電子部品に前記揺動する開閉板の下端が当接しない高さに構成したことを特徴とする。
【００８０】
また、プリント配線板を前記雰囲気保持体内へ搬送するためにこのプリント配線板を保持するキャリアを使用する場合には、搬送に際して前記キャリアに摺接する凸状体を前記開閉板に設けると供に、この凸状体の前記開閉板の板面からの高さが前記キャリアが前記開口を通過する際に前記プリント配線板に搭載された電子部品に前記揺動する開閉板の下端が当接しない高さに構成したことを特徴とする。
【００８１】
また、同様にプリント配線板を前記雰囲気保持体内へ搬送するためにこのプリント配線板を保持するキャリアを使用する場合において、搬送に際して前記開閉板に摺接する凸状体を前記キャリアに設けると供に、この凸状体の前記キャリアからの高さがこのキャリアが前記開口を通過する際に前記プリント配線板に搭載された電子部品に前記揺動する開閉板の下端が当接しない高さに構成したことを特徴とする。
【００８２】
このように構成することにより、プリント配線板の搬入や搬出に合わせて開閉板に設けた凸状体がプリント配線板の電子部品が搭載されていない領域に摺接しながらこの開閉板も持ち上げて搬入口や搬出口の開口を開き、搬入や搬出が終了すると摺接が解除されてその開口を閉じることができる。しかも、プリント配線板に搭載されている電子部品に開閉板が当接することもないように開閉板を開閉できる。
【００８３】
また、キャリアを使用する場合にも開閉板に設けた凸状体が電子部品の搭載されていないキャリアに摺接し、プリント配線板の搬入や搬出に合わせて開閉板に設けた凸状体がキャリアに摺接しながらこの開閉板も持ち上げて搬入口や搬出口の開口を開き、搬入や搬出が終了すると摺接が解除されてその開口を閉じることができる。しかも、プリント配線板に搭載されている電子部品に開閉板が当接することもないように開閉板を開閉できる。
【００８４】
さらに、キャリアに凸状体が設けられた場合についても同様に、プリント配線板の搬入や搬出に合わせてキャリアに設けた凸状体が開閉板に摺接しながらこの開閉板も持ち上げて搬入口や搬出口の開口を開き、搬入や搬出が終了すると摺接が解除されてその開口を閉じることができる。しかも、プリント配線板に搭載されている電子部品に開閉板が当接することもないように開閉板を開閉できる。
【００８５】
以上により、アクチュエータやセンサ、制御装置等が不要な簡単な構成で、しかもプリント配線板上の電子部品を損傷することなく、プリント配線板の搬入や搬出に合わせて搬入口や搬出口等の開口を自動開閉して、不必要な雰囲気の拡散を防止することができる。
【００８６】
なお、上記各実施形態及び各実施形態内で示した各変形例，適用例を組み合わせた構成も全て本発明に含まれるものである。
【産業上の利用可能性】
【００８７】
電子回路を構成するプリント配線板の処理すなわち製造には、種々の薬液と雰囲気が使用される。そのため、これらの雰囲気が人体に影響を与えないように雰囲気保持体により保持された雰囲気中で処理が行われる。すなわち、熱雰囲気や冷雰囲気、各種ガス、霧状フラックス、プラズマ化したガス、等々が使用されている。
【００８８】
即ち、プリント配線板を隔離された雰囲気中で処理するプリント配線板の雰囲気処理装置、具体的には、プリント配線板に薬液を塗布するフラックス塗布装置や溶融はんだを供給することではんだ付けを行うフローはんだ付け装置、さらには予め供給されたはんだを加熱して溶融させることではんだ付けを行うリフローはんだ付け装置、加熱されたプリント配線板を冷却する急冷装置等の用途に適用できる。
【００８９】
そして、本発明により、これらの装置内の雰囲気を確実に保持してプリント配線板の処理を安全かつ低コストで行うことができる。
【００９０】
また、プリント配線板の雰囲気処理装置以外にも、その表面に部材が搭載される等して立体形状を有する板状部材を隔離された雰囲気中で処理する装置の用途に適用できる。
【図面の簡単な説明】
【００９１】
【図１Ａ】本発明の第１実施形態を示すプリント配線板の雰囲気処理装置の構成を説明するためのものであり、プリント配線板の搬送方向に対する縦断面を示す図である。
【図１Ｂ】本発明の第１実施形態を示すプリント配線板の雰囲気処理装置の構成を説明するためのものであり、搬入口（搬出口）を搬入（搬出）方向後ろ側から見た斜視図である。
【図１Ｃ】本発明の第１実施形態を示すプリント配線板の雰囲気処理装置の構成を説明するためのものであり、搬入口（搬出口）を搬入（搬出）方向手前から見た斜視図である。
【図２Ａ】本発明の第２実施形態を示すプリント配線板の雰囲気処理装置の構成を説明するためのものであり、プリント配線板の搬送方向に対する縦断面を示す図である。
【図２Ｂ】本発明の第２実施形態を示すプリント配線板の雰囲気処理装置の構成を説明するためのものであり、搬入口（搬出口）を搬入（搬出）方向後ろ側から見た斜視図である。
【図２Ｃ】本発明の第２実施形態を示すプリント配線板の雰囲気処理装置の構成を説明するためのものであり、搬入口（搬出口）を搬入（搬出）方向手前から見た斜視図である。
【図３Ａ】本発明の第３実施形態を示すプリント配線板の雰囲気処理装置の構成を説明するためのものであり、プリント配線板の搬送方向に対する縦断面を示す図である。
【図３Ｂ】本発明の第３実施形態を示すプリント配線板の雰囲気処理装置の構成を説明するためのものであり、搬入口（搬出口）を搬入（搬出）方向後ろ側から見た斜視図である。
【図３Ｃ】本発明の第３実施形態を示すプリント配線板の雰囲気処理装置の構成を説明するためのものであり、搬入口（搬出口）を搬入（搬出）方向手前から見た斜視図である。
【図３Ｄ】本発明の第３実施形態の変形例を示すプリント配線板の雰囲気処理装置の構成を説明するためのものであり、搬入口（搬出口）を搬入（搬出）方向手前から見た斜視図である。
【図４Ａ】本発明の第４実施形態を示すプリント配線板の雰囲気処理装置の構成を説明するためのものであり、プリント配線板の搬送方向に対する縦断面を示す図である。
【図４Ｂ】本発明の第４実施形態を示すプリント配線板の雰囲気処理装置の構成を説明するためのものであり、搬入口においてキャリアに保持されたプリント配線板が搬入される様子を示す斜視図である。
【図５Ａ】本発明の第５実施形態を示すプリント配線板の雰囲気処理装置の構成を説明する図であり、プリント配線板の搬送方向に対する縦断面を示す図である。
【図５Ｂ】本発明の第５実施形態を示すプリント配線板の雰囲気処理装置の構成を説明するためのものであり、搬入口においてキャリアに保持されたプリント配線板が搬入される様子を示す斜視図である。
【図６】本発明の第６実施形態を示すプリント配線板の雰囲気処理装置の構成を説明するためのものであり、プリント配線板の搬送方向に対する縦断面を示す図である。
【符号の説明】
【００９２】
１００    雰囲気保持体
１０１    プリント配線板
１０２    搬入口
１０３    搬出口
１０４    搬入コンベア
１０５    搬送コンベア
１０６    搬出コンベア
１０７，１０８    開閉板
１１４，１１５    弧状体（凸状体）
【図１Ａ】
0004659562.tif 000002
【図１Ｂ】
0004659562.tif 000003
【図１Ｃ】
0004659562.tif 000004
【図２Ａ】
0004659562.tif 000005
【図２Ｂ】
0004659562.tif 000006
【図２Ｃ】
0004659562.tif 000007
【図３Ａ】
0004659562.tif 000008
【図３Ｂ】
0004659562.tif 000009
【図３Ｃ】
0004659562.tif 000010
【図３Ｄ】
0004659562.tif 000011
【図４Ａ】
0004659562.tif 000012
【図４Ｂ】
0004659562.tif 000013
【図５Ａ】
0004659562.tif 000014
【図５Ｂ】
0004659562.tif 000015
【図６】
0004659562.tif 000016